(57)【要約】【課題】ファウンデーション衣料の補整用部材等による不快感をなくし、痛みを和らげ、着用感を改良したファウンデーション衣料を提供する。【解決手段】補整用部材及び又は衣料装着用係止部材を有する肌着において、用いられる補整用部材が肌に圧接する部位の肌と接する面に、吸湿体を兼ねた緩衝体を重ねあわせて設けた。該緩衝体は、透湿性袋体に吸湿性素材を充填してなるもの、又は吸湿性素材を不織布状に集積したもの、多層の組織により構成したもの等であり、該緩衝体を構成する透湿性袋体の一部のみを補整用肌着本体に縫着し、または、該緩衝体を着脱自在に設ける。【選択図】図１
2004131854.tif 000002
【特許請求の範囲】
【請求項１】
ボーン、ワイヤー等の補整用部材及び又は衣料着装用係止部材を有する肌着において、用いられる前記部材が肌に圧接する部位の肌と接する面に、吸湿体を兼ねた緩衝体を重ね合わせ設けてなるファウンデーション衣料。
【請求項２】
該緩衝体が、透湿性袋体に吸湿性素材を充填してなるものである請求項１記載のファウンデーション衣料。
【請求項３】
該緩衝体が、吸湿性素材を不織布状に集積してなるものである請求項１記載のファウンデーション衣料。
【請求項４】
該緩衝体が、緩衝を優先する発泡体と綿状吸湿性素材を複合するものである請求項１記載のファウンデーション衣料。
【請求項５】
該緩衝体が、２層又は３層の編地又は織地よりなり、肌に接する層を他層に比し吸排湿性の高い組織設計とし、前記第１層と最内層を連結する中間組織は、緩衝体に弾性を発揮させ内層の吸湿層への湿気の伝導を行わせてなるものである請求項１記載のファウンデーション衣料。
【請求項６】
該緩衝体が、補整用部材及び又は衣料着装用係止部材に着脱自在に設けられている請求項１乃至４のいずれか記載のファウンデーション衣料。
【請求項７】
該緩衝体が筒状をなし、衣料着装用係止部材の外周を囲ってなるものである請求項１乃至４のいずれか記載のファウンデーション衣料。
【請求項８】
該緩衝体周縁の一部のみが、肌着本体に固定されている請求項１乃至５のいずれか記載のファウンデーション衣料。
【発明の詳細な説明】
【０００１】
【発明の属する技術分野】
本発明は、ボーン、ワイヤー等の補整用部材を有するファウンデーション衣料に関するものである。
【０００２】
【従来の技術】
通常、ブラジャー、ウエストニッパー、ガードル、オールインワン、コルセット等のファウンデーション衣料は、着用することによって着用者の体型を補整し、よりファッション美学上好ましい人体シルエットを得るために、ボーン、ワイヤー、弾性シート状片等の弾性体などを使用している。
例えば、従来のブラジャーを例にとって説明すると、図６Ａに示すように、ブラジャー１０１のトップ即ちブラジャーバスト中心上縁１０２から左右のバストカップ１０３の下縁１０４に沿って左右バストカップ１０３の夫々に対してボーン又はワイヤー１０５等よりなるバストカップ補整用部材が使用されている。更に、脇身頃布１０６には、脇線１０７に沿って脇下補整用部材１０８が使用されている。
【０００３】
補整用部材について更に述べると、図６Ｂに示すようにバストカップ補整用部材であるボーン又はワイヤー１０５は、図６Ｃに示す一般的には鋼或は合成樹脂からなるボーン又はワイヤー１０５がバストカップ１０３の下縁１０４に沿って、例えばブラジャー裏面に形成された袋状布片１０９に収容されるなどして設けられ、更には脇線１０７部分には身体の丈方向脇線を補整する為の図６Ｄに示すような平らなフィルム状の補整用部材１０８がボーン又はワイヤー１０５と同様に袋状布片１１０内に収容されている（例えば、特許文献１参照。）。
【０００４】
上記のようなブラジャー等のファウンデーション衣料に使用する補整用部材は、補整効果が高いことから強度（剛性）が高い材質である鋼等が多く使用される。また、肩紐（ストラップ）のアジャスターや着脱用のフック等も、強度が必要なことから鋼等の金属、硬質樹脂等が使用される。しかしながら、ファウンデーション衣料は、人体皮膚に直接接触する衣料であるうえ、着用時に人体に対してかなりの圧力をかけて着用されるので、製品本体を構成している繊維の柔軟さに比べて補整用部材は異質なものであって、該補整用部材は、その部位によっては人体骨格に圧迫感と刺激を与え、中には苦痛を伴うことがある。又、この補整用部材の人体への装着部位は、多くが発汗性の高い部位でもあり、汗を全く吸収しない補整用部材が圧着されることは不快に感じることが多い。
【０００５】
ボーン等の補整用部材も、人体骨格に沿って均等に接触している場合は、さほど抵抗はないが、特に図６Ａに示すバストカップ１０３の下縁１０４において、多くのボーン又はワイヤー１０５は図６Ｃに示す如く乳房外輪を形成する略半球状をなしているが、本来、この半球を為す乳房底辺は人体楕円柱体湾曲部にあたり、奥行きのある凹状を形成している。然るに現市販のボーンは完全にフラットなものであり、結果、当該ボーンを構成した製品（ブラジャー等）を着用する場合、着用の引張り張力が人体楕円柱体湾曲部に位置する半球状ボーン下部を支点とする曲力が働き、その結果人体胸骨に挟まれた皮膚を強圧し、痛みを発生させる等の問題を生ずる。
【０００６】
【特許文献１】
特許第２８３５３１２号公報　（第２〜５欄、図１〜５，１０）
【０００７】
【発明が解決しようとする課題】
本発明は、このようなファウンデーション衣料に見られる不快感をなくし、痛みを和らげ、しかも汗の吸収を兼ねた緩衝体を補整用部材と共に用いることにより着用感を改良したファウンデーション衣料を提供することを目的とする。
【０００８】
【課題を解決するための手段】
この出願の発明は、ワイヤー、ボーン等の補整用部材及び又は衣料着装用係止部材を有する肌着において、用いられる前記部材が肌に圧接する部位の肌と接する面に、吸湿体を兼ねた緩衝体を重ね合わせ設けてなるファウンデーション衣料に係る。該緩衝体は、透湿性袋体に吸湿性素材を充填してなるもの、吸湿性素材を不織布状（綿状）に集積してなるもの、緩衝を優先する発泡体と当該綿状吸湿性素材を複合するもの、或は該緩衝体が、２層又は３層の編地又は織地よりなり、肌に接する層をより吸発散性の高い素材（糸質または編織組織）とし、肌に接する層と最内層を連結する中空層は、弾性と最内層の吸湿層への水分伝導の役割をもたせる。該緩衝体は、補整用肌着に着脱自在に設けるか、又は、該緩衝体を構成する透湿性袋体周縁の一部のみを、肌着本体に縫着している。更に、該緩衝体を筒状とし、衣料着装用係止部材の外周を囲うように設けることが出来る。
【０００９】
【発明の実施の形態】
本発明は、ファウンデーション衣料に、吸湿体を兼ねた緩衝体を設けた点に特徴を有するが、前記緩衝体は、ボーン，ワイヤー等の補整用部材の端部或は衣料着装用係止部材のいずれか又は双方が肌に当接し肌を刺激する状態が生じる恐れのある部位に設けるものである。
【００１０】
緩衝体を取り付ける部位についての具体例をブラジャーについて説明すると、補整用部材に対する緩衝体は、ブラジャー本体にあっては第１にバストカップ下部にバストを囲って設けられた弓状のワイヤーボーンの両端がそれぞれ位置するブラジャートップと脇ぐり上端、第２に上記弓状のワイヤーボーンの円弧が存在するアンダーバスト部、第３に脇線部分に上下に延びるフィルム状ボーンの脇ぐり上端、第４に上記フィルム状ボーンがアンダーバスト線と交差する部位などが考えられ、衣料着装用係止部材に対する緩衝体は、ストラップの長さを調節するストラップリングとアジャスター部分、背部の止め具部分などがある。
【００１１】
本発明を適用することができるファウンデーション衣料としては、上記ブラジャー以外にも、図５Ａのストラップレスブラジャー、図５Ｂのウエストニッパー、図５Ｃのガードル、図５Ｄの水着、図５Ｅのオールインワン、図５Ｆのコルセット付スカート、その他補整機能を持った水着、ドレス、開閉又は調整のための硬質部材を有する衣料等、補整用部材、衣料着装用係止部材が用いられている衣料である。
【００１２】
本発明によるファウンデーション衣料の一例であるブラジャーについて図１乃至図４により説明する。ボーン，ワイヤー等の補整用部材に対し緩衝体を取付ける態様につき先ず説明する。図１Ａは、ブラジャーの第一の具体例を示すものであり、ワイヤー，ボーン等の補整用部材を有するブラジャー１の正面中心のブラジャートップ即ちブラジャーバスト中心上縁２より右側部分の裏面と背部の係合部分を示す展開図である。バストカップ３と身頃４とが接合されるバストカップ３の周縁部分５には、ブラジャーバスト中心上縁２からバスト脇部上縁にかけてテープ状布片６を身頃４に縫着して袋体６ａを形成し（図４Ａ）、補整用の弓状に形成されたワイヤーボーン７を該袋体６ａに内包させている。更に、ブラジャー１の身頃４のアームピット部には、身丈方向にテープ状布片８を縫着して袋体８ａを形成し、該袋体８ａ内に身体の脇線を補整するためのフィルム状のボーン９を内包させている。これらの取付け手段は、いずれもテープ状布片６，８を用いているが、テープ状布片６，８に代え柔軟な筒状生地６ｂ，８ｂを所定位置に縫着等して固定し、その中にワイヤーボーン７を挿入しても、或は、あらかじめワイヤーボーン７を挿入した筒状生地６ｂ，８ｂを身頃地に縫着しても良い。（図４Ｂ，Ｃ）。
【００１３】
ブラジャー１に使用される補整用部材であるワイヤーボーン７，フィルム状のボーン９は、前記のように通常テープ状布片６，８とブラジャー本体の身頃４の布片とで形成される袋体６ａ，８ａ中に挿入遊嵌されているが、本発明においては、補整用部材が特に身体に苦痛を与える部位、即ち、ワイヤーボーン７とフィルム状のボーン９の両端が位置する部分、及び前述のバスト補整用弓状ワイヤーボーン７の円弧が存在するアンダーバスト部に汗等の吸湿体を兼ねた緩衝体１０，１１，１２，１４を設けている。
【００１４】
上記位置は、詳細にはワイヤーボーン７の両端が位置するブラジャートップ２とバストカップ３の脇ぐり上端に緩衝体１０，１１を、また、身頃４の脇線部分に設けられたボーン９の上端９ａが位置する脇下部分に緩衝体１２をそれぞれ設けている。更に、アンダーバスト部に近接して位置するワイヤーボーン７の弓状部分を覆い、かつ、アンダーバスト線１３からバストカップ３の上方に向かって、弧状に凸出しバストカップ３の下部及びフィルム状のボーン９を挿入した袋体８ａの下部を覆うように展開する山形の緩衝体１４を設けている。
【００１５】
次に、本発明によるブラジャーの第二の具体例を図２，図４に示す。第２の具体例においては、ブラジャーに使用されているバスト補整用のワイヤーボーン７と、脇線補整用のフィルム状ボーン９の両者を覆うように、ブラジャー身頃のバストカップ３の下縁よりアンダーバスト線１３に至る身頃部分と脇線までの身頃部分の、肌に接するブラジャー裏面に凹字状に展開する緩衝体２１を設ける。図４Ａは、図２のＩＶ−ＩＶ線における部分断面図であり、緩衝体２１は図３Ａに示した構成のものを使用しているが図３Ｂに示す編地或は同Ｃに示す不織布を使用しても差し支えない。
緩衝体２１の他の取付例を図４Ｂに示す。緩衝体２１は、その下端部を身頃４の下端に揃えて重ね、更にその上を仕上げテープ２６で押さえて身頃４と一体にアンダーバスト線１３上で縫着する。図４のＣに示す更に他の例は、仕上げテープ２６の表面上に面ファスナー等の適宜の柔軟性を有する係止部材２９により、緩衝体２１をその下部においてのみ固定している。
【００１６】
上記のごとく、アンダーバスト線１３で下位部分のみ固定され、凹字形に展開する緩衝体２１は、バストカップ３の下縁においてはブラジャー身頃部４に縫着されず、緩衝体２１の下端部がアンダーバスト線１３に沿って設けられた仕上げ用テープ２６の位置で身頃部４の下部に固定され、緩衝体２１の上部でワイヤーボーン７を覆い、かつ緩衝体２１の上縁がブラジャー脇ぐりにおいて固定されている。緩衝体２１は、バスト補整用ワイヤーボーン７と、脇線補整用のフィルム状のボーン９の両者を肌から隔離し、ブラジャーの肌当りを柔らかくすると共に、最も発汗の多い部位にあって汗を吸収し、上衣への汗の浸透を防ぐことができる。このように緩衝体２１は、ブラジャー身頃のカップ下縁よりアンダーバスト縁３に至る身頃部分と脇下までの身頃部分の発汗の多い部位に設けられるので、面ファスナー、ホック等で、取外し可能に設ければ、緩衝体２１の洗濯、交換が容易となる。
【００１７】
本発明に用いる緩衝体は、緩衝作用としての弾性とソフト性を有することが必要であり、しかも前述のように発汗の多い部位に位置するため、汗の吸収を兼ねた緩衝体であることが必要である。そのため、緩衝体を袋体として構成する場合は、袋体の外面、特に人体の肌に接する側には吸発散性の高いポリエステル、ポリプロピレンのような素材の布地、編地を使用して汗によるべたつきを解消し、袋体とした緩衝体内部には綿、レーヨン、アセテートのような汗を吸い上げる性質の素材を使用する。
【００１８】
緩衝体の第１の例を挙げると図３Ａ，図４に断面を示す如く、透湿性を有する例えば経編地よりなる袋体２２の中に天然又は合成繊維等の吸湿性を有するウエブ２３を封入した偏平状をなしたもので、第２の例は、図３Ｂに示すダブルラッセル編地２４の如く、２層の表面編地２４ａと裏面編地２４ｂを構成する生地の間の糸２５が編地内部に空隙を構成することによって吸放湿機能を発揮するもので、第３の例は、図３Ｃに示す如く吸湿性を有するウエブを柔軟性を持たせたまま綿状に集積して不織布２３ａとしてなるものとする。その他、吸排湿性機能を有し弾性を有する素材であれば目的を達成し得る。更に、本発明においては、上記図３において、当該綿状吸湿性素材に、緩衝性を高めるための弾性発泡体を混合使用しても良い。また、２層、３層の編地又は織地を使用した場合、肌に接する第１層をより湿気の吸発散性の高い設計（編機の組織又は使用糸の素材に関し）とし、第１層と最内層を連結する中間層は弾性と最内層の吸湿層への湿気伝導の役割を果たすようにする。
【００１９】
上記構成の緩衝体は、適宜それを設ける部位の形状に応じた形状とされブラジャーに取り付けられる。緩衝体がその表面が覆われ袋に入れられた状態とするか否かは使用箇所により任意に選択出来る。その取付は、緩衝体の一部又は全周縁をブラジャー作成時に縫着する手段、或は面ファスナーなどの取付手段をブラジャーと緩衝体の一方或は双方に設けておいて適宜取り外し取り付けを行えるようにすることが考えられる。好ましくは緩衝体１０，１１，１２，１４は、ブラジャー本体周縁に位置する部分１０ａ、１１ａ、１２ａ、１４ａのみをブラジャー本体に縫着し、他辺を遊離させておくことにより、緩衝体１０，１１，１２，１４は、ブラジャー着用時に身体の動きに従って微妙に移動して身体に密着すると共に、ブラジャー表面に見苦しい皺等が生じるのを防ぐことができる。
【００２０】
次に、衣料着装係止部材への緩衝体の取付けについて説明する。図１Ａ，図１Ｂに示すように、通常、ブラジャー１にはブラジャー本体を胸部に装着するためのストラップ１５にアジャスター１６が設けられ、かつ、ブラジャー本体を背部で係合させるためには身頃端部のバンド状部分の一方にはフック１７と、対向する側の背部にはフック１７を掛止する止め具１７ａを有する背当て布１８が設けられている。アジャスター１６は金具又は硬質の樹脂で形成されるため肌に圧接すると痛みを生じ、止め具を有する背当て布１８も背骨上に位置し、しかも汗を多量に発する位置にあるので、アジャスター１６及び背当て布１８が肌に接する部分に、上記した緩衝体と同様に構成される緩衝体１９，２０を設けることが望ましい。尚、図１Ａにおいては、アジャスター１６とストラップリング２７とを緩衝体１９が覆っているが、アジャスター１６とストラップリング２７とが離れて位置するブラジャーにおいては、図１Ｂに示すようにアジャスター１６用の緩衝体１９の他に、ストラップリング２７用の緩衝体を別個に設けることができる。
【００２１】
上記緩衝体１０，１１，１２，１４，１９のブラジャー１への取付けは、これらをブラジャー１に縫着するか、緩衝体のいずれか、または全部を面ファスナー、ホック等で、取外し可能に設けても良い。ブラジャー１のストラップ１５に設けられたアジャスター１６を肌から隔離するために設けられる緩衝体１９の取付け手段の一つを図１Ｂによって説明する。その緩衝体１９取付手段はバストカップ３側のストラップ１５ａのストラップリング２７近傍に設けている。例えば面ファスナー２８のフック或はパイル等の柔軟なものとする。前記フック或はパイル等はテープ状に構成したストラップ１５ａの表面自体にストラップ１５ａの組織の一部として発現させても良いし、別途面ファスナーのフック或はパイルをストラップ１５の面上に取り付けても良い。そしてアジャスター１６とストラップリング２７を覆う形状の緩衝体１９の肌と接しない面に前記ストラップ側の係止要素と係合する係止部材を置く。即ち、緩衝体１９の片面に面ファスナー２８のループ又はフックを固着するか、もしくは、緩衝体１９の肌に接しないほうの面を面ファスナー２８の一方と結合可能な起毛地とすることによって、緩衝体１９をストラップ１５に取外し可能に設けることが出来る。また、アジャスター１６とストラップリング２７とから離れているときはアジャスター１６とストラップリング２７との双方に別個に緩衝体を設ける。尚、衣料装着用係止部材自体が小さいものであるから、それを覆う緩衝体も、出来るだけ小型で薄いものではあるが緩衝作用には耐えるものとしなければならず、図１Ｃに示す如く緩衝体２２をチューブ構造として衣料装着用係止材全体を覆うように構成することも出来る。
【００２２】
本発明は、補整用部材を有する肌着において、用いられる補整用部材が肌に圧接する部位の肌と接する面に、吸湿体を兼ねた緩衝体を重ねあわせて設けたファウンデーション衣料に係るものであって、緩衝体の付着方法は、特に限定されるものではない。
【００２３】
【発明の効果】
以上説明したように、本発明では、以下のような効果が得られる。
本発明は、ファウンデーション衣料において、用いられるワイヤーボーン等の補整用部材が肌に圧接する部位の肌と接する面に、吸湿体を兼ねた緩衝体を重ねあわせて設けることにより、補整部材による圧迫感、違和感を原因とする不快感をなくし痛みを和らげ、しかもこれらの補整用部材の使用される部位が汗を多量にかく部位であるため、緩衝体には弾性と共に汗を吸収する作用をもたせたことによりファウンデーション衣料の着用感をも改良することができる。
【図面の簡単な説明】
【図１】Ａは、本発明によるブラジャーの第一の具体例を示すものであり、補整用部材を有するブラジャーの身体正面より片側部分の裏面と背部の係合部分を示す説明図であり、Ｂはストラップに設けられる補整部材を示す図１ＡのＢ−Ｂ線における部分断面図、Ｃは衣料着装用係止部材を筒状の緩衝体で覆った例の断面図である。
【図２】本発明によるブラジャーの第二の具体例を示すブラジャー裏面の部分説明図である。
【図３】Ａ，Ｂ，Ｃは、緩衝体の縦断面図である。
【図４】Ａは、図２ＩＶ−ＩＶ線に沿った部分切断端面図であり、Ｂ，Ｃは緩衝体取付け手段の他の具体例である。
【図５】Ａ〜Ｆは、補整部材の用いられているファウンデーション衣料の例を示す説明図である。
【図６】補整部材を有する従来のブラジャーであり、Ａは外形を示す斜視図、Ｂは、バストカップ部を示す部分裏面図、Ｃ，Ｄは、補整部材の説明図である。
【符号の説明】
１　ブラジャー
２　ブラジャートップ
３　バストカップ
４　身頃
５　周縁部分
６，８　テープ状布片
６ａ，８ａ　　袋体
７　ワイヤーボーン
９　フィルム状のボーン
１０，１１，１２，１４，１９，２０，２１，３０　緩衝体
１３　アンダーバスト線
１５　ストラップ
１６　アジャスター
１７　フック
１７ａ　止め具
１８　背当て布
２２　袋体
２３　芯材
２４　ダブルラッセル編地
２６　仕上げ用テープ
２７　ストラップリング
２８　面ファスナー
２９　係止部材
【図１】
2004131854.tif 000003
【図２】
2004131854.tif 000004
【図３】
2004131854.tif 000005
【図４】
2004131854.tif 000006
【図５】
2004131854.tif 000007
【図６】
2004131854.tif 000008